(57)【要約】【課題】  本発明は、水平度及び物の角度等を簡便に、かつ正確に、しかも安価に測定し、時限別の測定も可能とする角度測定具を提供する。【解決手段】  透明または半透明の直方体状の中空容器１内に、一時的に固体化する機能を有する粉体と水とを封入し、粉体と水とは振動等により混濁して流体化すると共に、静止すると粉体と水とが分離して粉体が水平面層を形成しつつ一時的に固体化する角度測定具である。【選択図】図１
2005055418.tif 000002
【特許請求の範囲】
【請求項１】
透明または半透明の方形の六面体状の中空容器１内に、一時的に固体化する機能を有する粉体と水とを封入し、粉体と水とは振動等により混濁して流体化すると共に、静止すると粉体と水とが分離して粉体が水平面層を形成しつつ一時的に固体化することを特徴とする角度測定具。
【請求項２】
前記中空容器１の周面に、目印２、目盛り３、分角度目盛り４を設けたことを特徴とする請求項１記載の角度測定具。
【発明の詳細な説明】
【技術分野】
【０００１】  本発明は、水平度及び物の角度等を測定する角度測定具に関する。
【背景技術】
【０００２】  従来、一般的に水平度及び物の角度等を測定する角度測定具として、建築関係で使用される水準器が知られていた。この水準器としては、円盤状の半球体の頂部に印を付けた透明中空容器に、液体と気泡を収容したもの、あるいは僅かに湾曲した透明管の一部に印を付けて、管内に液体と気泡を封入し、これを単独で使用したり、また複数の管を十字形や斜めに組み合わせたものが知られていた。【０００３】  さらに別の器具としては、四分の一の円弧状の中空容器に目盛を付け、ここに液体と気泡を封入し、液体と気泡の反対軸を指標としたものも知られていた。
【発明の開示】
【発明が解決しようとする課題】
【０００４】  かかる従来の技術にあっては、器具によって設置場所の制限があったり、あるいは設置しても測定者の目が鉛直線方向にならず、測定誤差が大きくなるといったことがあり、測定をうまく行うことが困難といった問題があった。また、複雑な設置を余儀なくされて、時間と費用が嵩むといった問題もあった。【０００５】  このように、従来の技術では水平度合や分角度等を測定することができても、これを簡便に、かつ正確に、しかも安価に測定することは皆無であった。特に、時限別の測定は不可能であった。【０００６】  そこで、本発明は、水平度及び物の角度等を簡便に、かつ正確に、しかも安価に測定し、時限別の測定も可能とする角度測定具を提供することを、その課題とする。
【課題を解決するための手段】
【０００７】  第一の発明は、透明または半透明の方形の六面体状の中空容器内に、一時的に固体化する機能を有する粉体と水とを封入し、粉体と水とは振動等により混濁して流体化すると共に、静止すると粉体と水とが分離して粉体が水平面層を形成しつつ一時的に固体化する角度測定具である。【０００８】  第二の発明は、第一の発明において、前記中空容器の周面に、目印、目盛り、分角度目盛りを設けた角度測定具である。
【発明の効果】
【０００９】  本発明によれば、水平度及び物の角度等を測定する場合、測定者は中空容器の内部において水平面層を形成しながら一時的に固体化した粉体を見ることで、水平度及び物の角度等を簡便に、かつ正確に、しかも安価に測定することができる。さらに、粉体が一時的に固体化していることにより、時限別の測定も可能になる。
【発明を実施するための最良の形態】
【００１０】  本発明の角度測定具を実施するための最良の形態について説明する。
まず、図１に示すように、透明の方形の六面体状の中空容器１を備え、この中空容器１は、例えば、縦、横、奥行きのそれぞれの辺が約４ｃｍの立方体状であって、軽くて破損し難いプラスチックによって形成する。なお、この中空容器１にあっては一辺が約４ｃｍの立方体状であるが、これに限定されるものではなく、直方体状となるものならば、各辺の長、短、大、小は自由に選択することができる。また、内部が透視できるものなら着色したもの、すなわち半透明のものでも良い。さらに、中空容器１の材質についてはプラスチック以外にガラス等を用いても良い。【００１１】  また、図２、図３に示すように、この中空容器１には、その周面に目印２、目盛り３、分角度目盛り４をそれぞれ設ける。なお、この目印２、目盛り３、分角度目盛り４の役目については後で述べる。【００１２】  そして、この目印２、目盛り３、分角度目盛り４を設けた中空容器１内に、一時的に固体化する機能を有する粉体と水とをそれぞれ封入する。この粉体と水とにあっては、中空容器１を振ったりする振動等の運動によって、粉体と水とが混濁して流体化する。また、この運動を停止して静止すると、水が表面の上層に、粉体が沈殿しながら下層に、それぞれ分離する。そして、下層に沈殿した粉体は水平面層を形成し一時的に固体化する。なお、この固体化した粉体は中空容器１を振ったりする振動等の運動をして、粉体と水とを混濁しない限り、すなわち、水と接しない限り、斜めにしようが、逆さまにしようが、そのままの状態で固体化している。【００１３】  この粉体と水とが振動等の運動によって混濁して流体化すると共に、静止すると粉体と水とが分離して粉体が一時的に固体化する現象は、チクソトロピーの原理によって行われる現象である。【００１４】  そして、この粉体としては、例えば、でんぷんやくず、米粉等の目の細かな粉である。具体的には、株式会社安本製の本葛、ホクレン農協組合製の馬鈴薯でんぷん、カトウ食品株式会社製のコンスターチでんぷん、神野でんぷん株式会社製の馬鈴薯でんぷん、株式会社小沢製粉製のもち米粉、川光物産株式会社製のうるち米粉等が挙げられる。【００１５】  また、この粉体として、前記のでんぷんやくず、米粉等の粉に砂を混入するようにしても良い。この砂も、例えば、サンドパウダー等の目の細かな砂である。具体的には、株式会社光栄堂製のサンドパウダー等が挙げられる。このように粉体に砂を混入した場合には、粉体が水平面層を形成し一時的に固体化した際、下層より砂の層、でんぷんやくず、米粉等の粉の層、そして水の層となる３層に形成される。【００１６】  なお、中空容器１内には前述した粉体と水以外にも、添加剤として以下のものを封入するようにしても良い。添加剤としては、例えば、水が腐らないようにする防腐剤、または粉体の表面を安定させる表面張力調整剤や消泡剤、または潤滑剤、さらに水が凍らないようにする不凍液等である。これらを適宜、適量使用するようにしても良い。【００１７】  このように構成した角度測定具にあっては、水平度及び物の角度等を測定する場合、まず始めに、粉体と水とを封入した中空容器１をよく振って、図４に示すように、粉体と水とを混濁して流体化させる。そして、測定したい���所（物）に中空容器１を置く、あるいは取り付ける。そして、数十秒から数分間、中空容器１を静止させると、粉体と水とが分離し始めて、図５に示すように、上層に水が、下層に粉体が沈殿し、下層に沈殿した粉体が水平面層を形成しながら固体化する。次に、粉体が固体化した状態で、中空容器１を測定した箇所（物）より取り外す。そして、測定者はその目が鉛直線方向となる位置より、中空容器１に設けた前記目印２や前記目盛り３や前記分角度目盛り４と、中空容器１の内部において水平面層を形成しながら固体化した粉体とを見比べて、測定箇所の水平度及び物の角度等を測定する。これは、水平度の測定にあっては図５のように中空容器１の内部において水平面層を形成しながら固体化した粉体を中空容器１に設けた前記目印２によって見ることで、水平度を測定することができる。また、物の角度等の測定にあっては図６のように例えば斜めの場所を測定する場合、中空容器１の内部の粉体が固体化したら、これを取り外して、図７のように水平面となる場所に置いて、中空容器１の内部の固体化した粉体を中空容器１に設けた前記目盛り３や前記分角度目盛り４によって見ることで、物の角度等を測定することができる。なお、測定し終わったら、中空容器１をよく振って、中空容器１内に封入した粉体と水とを混濁して流体化させると、再度、測定が可能になる。【００１８】  以上のように、水平度及び物の角度等を測定する場合、測定者は中空容器１の内部において水平面層を形成しながら一時的に固体化した粉体を見ることで、水平度及び物の角度等を簡便に測定することができ、かつ測定者は鉛直線方向となる位置より固体化した粉体を見ることで、正確に測定することができる。しかも、当該角度測定具にあっては、中空容器１内に粉体と水とを封入しただけの単純な構成であることから、これを非常に安価に提供することができる。さらに、中空容器１内において粉体が一時的に固体化することで、時限別の測定も可能になる。【００１９】  次に、当該角度測定具の使い方について説明すると、建築関係では天井裏や床下等の人がなかなか入れない場所において使用することができる。これは、当該角度測定具を天井裏や床下に置いて、中空容器１内部の粉体が一時的に固体化したら、これを取り出して、広い場所において、測定者が水平度及び物の角度等を測定すれば良い。また、携帯用の測定具としても最適である。旅行先での測定が可能であり、例えば、ピラミッド等の傾斜を測定したり、いろいろな場所で角度を測定することもできる。【００２０】  また、全く違う使い方としては、ゴルフの練習具としての使い方がある。これは、当該角度測定具をゴルフクラブ、例えばアイアンのヘッドに貼り付ける。そして、実際にスイングを行って、トップあるいはフィニッシュにおける状態でアイアンを静止させる。そして、当該角度測定具における中空容器１内部の粉体が固体化したら、アイアンを常態に戻し、実際のスイング時のトップあるいはフィニッシュの水平度及び角度等を測定することで、トップ時あるいはフィニッシュ時におけるアイアンのヘッドの状態を測定することができ、ゴルフ練習において、正しいトップあるいはフィニッシュを取得するよう努力することができる。���００２１】  次に、中空容器１内に封入する粉体と水の特性について試験を行ったので、これについて述べる。
試験としては、一辺が約４ｃｍの立方体状の中空容器１を使用して、この中空容器１内に試験番号１から試験番号８の粉体と水とを封入し、各中空容器１をよく振って、粉体と水とを混濁させる。そして、中空容器１を静止させてから、下層に沈殿した粉体が水平面層を形成しながら固体化する固体化時間を測定する。【００２２】  試験番号１は粉体として株式会社安本製の本葛１０ｇを用いて、これを水５０ｃｃの中に入れる。試験番号２は粉体としてホクレン農協組合製の馬鈴薯でんぷん１０ｇを用いて、これを水５０ｃｃの中に入れる。試験番号３は粉体としてカトウ食品株式会社製のコンスターチでんぷん１０ｇを用いて、これを水５０ｃｃの中に入れる。試験番号４は粉体として神野でんぷん株式会社製の馬鈴薯でんぷん（Ａ）１０ｇを用いて、これを水５０ｃｃの中に入れる。試験番号５は粉体として株式会社小沢製粉製のもち米粉１０ｇを用いて、これを水５０ｃｃの中に入れる。試験番号６は粉体として川光物産株式会社製のうるち米粉１０ｇを用いて、これを水５０ｃｃの中に入れる。試験番号７は粉体として神野でんぷん株式会社製の馬鈴薯でんぷん（Ｂ）１０ｇを用いて、これを水５０ｃｃの中に入れる。なお、神野でんぷん株式会社製の馬鈴薯でんぷん（Ａ）は市販品そのものである。また、神野でんぷん株式会社製の馬鈴薯でんぷん（Ｂ）は、市販品を改良したものであり、これは、化学実験用のメートルグラスに市販品の神野でんぷん株式会社製の馬鈴薯でんぷん５０ｇと水２５０ｃｃとを入れ、約１分十分に攪拌して、約２分間放置した後、上層に浮遊する馬鈴薯でんぷんを含んだ水を２０ｃｃ取り去る。これを計１０回行って、最後に約５０ｃｃの水と約１０ｇの馬鈴薯でんぷんが残り、この残った約１０ｇの馬鈴薯でんぷんを神野でんぷん株式会社製の馬鈴薯でんぷん（Ｂ）としたものである。このでんぷんは比較的比重の重いものである。次に、試験番号７は粉体として神野でんぷん株式会社製の馬鈴薯でんぷん（Ｂ）５ｇと株式会社光栄堂製のサンドパウダー５ｇとを混入したものを用いて、これを水５０ｃｃの中に入れる。【００２３】  以上の試験番号１から試験番号８における試験結果である固体化時間を表１に示す。【００２４】
【表１】
2005055418.tif 000003
【００２５】  試験結果から、試験番号７の神野でんぷん株式会社製の馬鈴薯でんぷん（Ｂ）１０ｇを用いて、これを水５０ｃｃの中に入れたもの、あるいは試験番号８の神野でんぷん株式会社製の馬鈴薯でんぷん（Ｂ）５ｇと株式会社光栄堂のサンドパウダー５ｇとを混入したものを用いて、これを水５０ｃｃの中に入れたものが特に良い結果を示し、実用化に際しては、これらが最適と考えられる。【００２６】  なお、試験番号８の神野でんぷん株式会社製の馬鈴薯でんぷん（Ｂ）５ｇと株式会社光栄堂のサンドパウダー５ｇとを混入したものを用いて、これを水５０ｃｃの中に入れたものにあっては、試験番号７の神野でんぷん株式会社製の馬鈴薯でんぷん（Ｂ）１０ｇを用いて、これを水５０ｃｃの中に入れたものと、中空容器１の内部の粉体の固体化時間に関しては、共に２分と同じであるが、中空容器１の内部の粉体が固体化した後、中空容器１をよく振って、中空容器１内に封入した粉体と水とを混濁して流体化させる流体化時間に関しては、試験番号８のサンドパウダーを混入したものの方が試験番号７のサンドパウダーを混入しないものの方よりはるかに早く粉体と水とが混濁して流体化するので、この点では試験番号８の方が良いと考えられる。
【図面の簡単な説明】
【００２７】
【図１】  本発明による角度測定具の斜視図である。
【図２】  本発明による角度測定具における目印、目盛り、分角度目盛りを示す説明図である。
【図３】  本発明による角度測定具における目印、目盛り、分角度目盛りを示す説明図である。
【図４】  本発明による角度測定具の作用状態を示す説明図である。
【図５】  本発明による角度測定具の作用状態を示す説明図である。
【図６】  本発明による角度測定具の作用状態を示す説明図である。
【図７】  本発明による角度測定具の作用状態を示す説明図である。
【符号の説明】
【００２８】  １  中空容器
２  目印
３  目盛り
４  分角度目盛り
【図１】
2005055418.tif 000004
【図２】
2005055418.tif 000005
【図３】
2005055418.tif 000006
【図４】
2005055418.tif 000007
【図５】
2005055418.tif 000008
【図６】
2005055418.tif 000009
【図７】
2005055418.tif 000010